(57)【要約】グループアドレスへの共通送信の相互接続によって少なくとも１つのグループ（ＸＹ）としてまとめられた多数の受信器（Ｔ１．．．ＴＮ）に１つ又は複数のデータセット（Ａ）を伝達するための方法であって、相互接続によってデータセット（Ａ）はマルチキャストメッセージとして間接的にグループ（ＸＹ）にまとめられた全ての受信器（Ｔ１．．．ＴＮ）へと送信され、グループ（ＸＹ）に対する全てのマルチキャストメッセージ（Ａ）毎に、伝送の品質基準の共通プロフィールが中央箇所（ＶＥ）によってグループ（ＸＹ）の全ての受信器（Ｔ１．．．ＴＮ）に対して格納される。
2005505958.tif 000002
【特許請求の範囲】
【請求項１】
グループアドレスへの共通送信の相互接続によって少なくとも１つのグループ（ＸＹ）としてまとめられた多数の受信器（Ｔ１．．．ＴＮ）に１つ又は複数のデータセット（Ａ）を伝達するための方法であって、前記相互接続によって前記データセット（Ａ）はマルチキャストメッセージとして間接的にグループ（ＸＹ）にまとめられた全ての受信器（Ｔ１．．．ＴＮ）へと送信される、グループアドレスへの共通送信の相互接続によって少なくとも１つのグループ（ＸＹ）としてまとめられた多数の受信器（Ｔ１．．．ＴＮ）に１つ又は複数のデータセット（Ａ）を伝達するための方法において、
前記グループ（ＸＹ）に対する全てのマルチキャストメッセージ（Ａ）毎に、伝送の品質基準の共通プロフィールが中央箇所（ＶＥ）によって前記グループ（ＸＹ）の全ての受信器（Ｔ１．．．ＴＮ）に対して格納されることを特徴とする、グループアドレスへの共通送信の相互接続において少なくとも１つのグループ（ＸＹ）としてまとめられた多数の受信器（Ｔ１．．．ＴＮ）に１つ又は複数のデータセット（Ａ）を伝達するための方法。
【請求項２】
プロフィールはグループ（ＸＹ）の加入者へのマルチキャストメッセージ（Ａ）の伝送毎に統一的に使用されることを特徴とする、請求項１記載の方法。
【請求項３】
中央管理ユニット（ＶＥ）はホームロケーションレジスタ（ＨＬＲ）に割り当てられ、該ホームロケーションレジスタ（ＨＬＲ）にはとりわけそれぞれの加入者（Ｔ１．．．ＴＮ）のアドレスが格納されていることを特徴とする、請求項１又は２記載の方法。
【請求項４】
管理ユニット（ＶＥ）は別個のエレメントを形成することを特徴とする請求項１又は２記載の方法。
【請求項５】
グループ（ＸＹ）の加入者（Ｔ１．．．ＴＮ）の品質基準（ＱｏＳ）は、前記グループ（ＸＹ）のメンバーへの全てのデータ伝送に対して中央管理ユニット（ＶＥ）との交渉において制限されうることを特徴とする、請求項１〜４のうちの１項記載の方法。
【請求項６】
その技術的伝送品質が最低限度より下である加入者は、伝送品質の調整には使用されないことを特徴とする、請求項１〜５のうちの１項記載の方法。
【請求項７】
伝送品質はクオリティ・オブ・サービス・プロフィール（ＱｏＳプロフィール）によって定められていることを特徴とする、請求項１〜６のうちの１記載の方法。
【請求項８】
ＱｏＳプロフィールは伝送すべきマルチキャストメッセージ（Ａ）のプライオリティに関する情報を含むことを特徴とする、請求項７記載の方法。
【請求項９】
ＱｏＳプロフィールはマルチキャストメッセージ（Ａ）の伝送の際の最大遅延に関する情報を含むことを特徴とする、請求項７又は８記載の方法。
【請求項１０】
ＱｏＳプロフィールは伝送すべきマルチキャストメッセージ（Ａ）の信頼性に関する情報を含むことを特徴とする、請求項７〜９のうちの１項記載の方法。
【請求項１１】
ＱｏＳプロフィールは伝送すべきマルチキャストメッセージ（Ａ）の最大データレートに関する情報を含むことを特徴とする、請求項７〜１０のうちの１項記載の方法。
【請求項１２】
ＱｏＳプロフィールは伝送すべきマルチキャストメッセージ（Ａ）の平均データレートに関する情報を含むことを特徴とする、請求項７〜１１のうちの１項記載の方法。
【請求項１３】
受信器（Ｔ１．．．ＴＮ）は移動遠隔通信ネットワーク（ＮＴ）の内部の移動遠隔通信機器であることを特徴とする、請求項１〜１２のうちの１項記載の方法。
【請求項１４】
伝送されるデータセット（Ａ）はテクスト及び/又は音声ありの又は音声なしの画像データを含むことを特徴とする、請求項１〜１３のうちの１項記載の方法。
【請求項１５】
前記方法は、伝送標準ＵＭＴＳ（Universal Mobile Telecommunication System）、ＧＳＭ（Global system for mobie communication）、ＧＰＲＳ（General packet radio service）及び/又はＥＤＧＥ（Enhanced Data Rates for GSM environments）において適用されることを特徴とする、請求項１３又は１４のうちの１項記載の方法。
【請求項１６】
データ伝送のための品質プロフィール（ＱｏＳ）の要求は、加入している移動遠隔通信機器（Ｔ１．．．ＴＮ）のうちの１つからマルチキャストセンタ（ＭＣＣ）と呼ばれる遠隔通信ネットワーク（ＮＴ）の場所へと送信されることを特徴とする、請求項１〜１５のうちの１項記載の方法。
【請求項１７】
移動遠隔通信ネットワーク（ＮＴ）は個別領域に分割されており、該個別領域はそれぞれ領域ノード（ＳＧＳＮ）によって管理され、ネットワーク全体の管理ユニット（ＶＥ）は中央組織箇所（ＭＣＣ）に配置されていることを特徴とする、請求項１３〜１６のうちの１項記載の方法。
【請求項１８】
複数の移動遠隔通信機器（Ｔ１．．．ＴＮ）を管理する少なくとも１つのノード（ＳＧＳＮ）を有する移動遠隔通信ネットワーク（ＮＴ）において、
該遠隔通信ネットワーク（ＮＴ）は前記複数の移動遠隔通信機器（Ｔ１．．．ＴＮ）を含むグループ（ＸＹ）に伝送可能なデータセット（マルチキャストメッセージ）（Ａ）に対する標準化された伝送パラメータのプリセットのための中央管理ユニット（ＶＥ）を含むことを特徴とする、移動遠隔通信ネットワーク（ＮＴ）。
【請求項１９】
管理ユニット（ＶＥ）内に格納された伝送パラメータは、それぞれの加入している遠隔通信機器（Ｔ１．．．ＴＮ）に依存せずにグループ（ＸＹ）内でマルチキャストメッセージ（Ａ）の各伝送のために使用可能であることを特徴とする、請求項１８記載の移動遠隔通信ネットワーク（ＮＴ）。
【請求項２０】
移動無線ネットワーク（ＮＴ）内のデータ伝送を可能にするためのコンピュータプログラム製品において、
該コンピュータプログラム製品は中央管理ユニット（ＶＥ）で保管されるマルチキャストメッセージ（Ａ）のための伝送パラメータをもとめるための問い合わせルーチンを含み、そこに格納された伝送パラメータをグループ（Ｘ、Ｙ）内の全ての問い合わせる加入者（Ｔ１．．．ＴＮ）に対して統一的に使用することを特徴とする、コンピュータプログラム製品。
【請求項２１】
コンピュータプログラム製品は移動無線ネットワーク（ＮＴ）におけるデータ配信の際に請求項１〜１８のうちの１項記載の方法を実施することを特徴とする、請求項２０のコンピュータプログラム製品。
【発明の詳細な説明】
【技術分野】
【０００１】
本発明は請求項１の上位概念に記載されたいわゆるグループ情報（マルチキャストメッセージ）として設けられたデータセットの伝達のための方法に関し、請求項１８の上位概念に記載された移動遠隔通信ネットワークならびに請求項２０の上位概念記載のコンピュータプログラム製品に関する。
【０００２】
現代の遠隔通信システムにおいて提供されている多くのサービス及びアプリケーションでは、様々な種類のデータセットを個々にこのネットワークの加入している遠隔通信機器に伝送するだけではなく、２つ以上の加入者に同時に伝送することが望ましい。各加入者への個別コネクションが形成されるのではなくてデータセットが全部一緒にそれぞれのグループの加入者を統合する共通グループアドレスに配信されるこの方法は、マルチキャスティングとも呼ばれる。このようなサービス及びアプリケーションの例はとりわけニュースグループ、ビデオ会議、ビデオオンデマンド又は分散アプリケーションである。
【０００３】
インターネットではマルチキャスト伝送が公知である。この場合、相応のマルチキャストメッセージがサーバに配信され、しかもこの場合データ配信側はどの加入者がこのサーバに接続されているのかを知る必要がない。
【０００４】
しかし、例えば移動無線ネットワーク又は他の電話ネットワークでは高度なフレキシビリティが要求される。なぜなら、加入している遠隔通信機器において、伝送のデータレート又は他のパラメータに対する部分的に異なる技術的可能性が供給されるからである。また、移動無線加入者が例えば外国に滞在しており、それゆえデータ伝送もネットワーク側でホームネットワークとは異なる伝送パラメータによって接続される可能性がある。
【０００５】
従って、各々の遠隔通信機器との個別コネクション形成のために、それぞれネットワークコンポーネントとネットワークの加入している機器との間で伝送パラメータが問い合わせアルゴリズムにおいて前もって「交渉」され、つまり加入している機器のそれぞれの技術的可能性及び権限に合わせられることが公知である。しかし、本発明の基礎となるマルチキャスティング方法ではこのような交渉は非常に高いコストに結びつく。なぜなら、マルチキャスティンググループの加入者毎にパラメータが個別に交渉されなければならないからである。１つのグループは数の点では原理的に無制限の多数の加入者を含みうる。よって、大きなグループに対してはこのような交渉は実行可能ではない。
【０００６】
本発明の課題は、マルチキャストメッセージの伝達のための伝送品質の決定の簡略化を実現することである。
【０００７】
上記課題は請求項１の構成を有する方法ならびに請求項１８の構成を有する移動遠隔通信ネットワーク及び請求項２０の構成を有するコンピュータプログラム製品によって解決される。有利な実施形態に関しては請求項２〜１７、１９及び２１を参照のこと。
【０００８】
本発明の方法によって、マルチキャストメッセージサービスを設けることが例えば個々の技術的に異なる機器の特別なそこで優勢な所与の状況を有する遠隔通信ネットワーク、とりわけ移動無線ネットワークでも可能である。これによって、マルチキャストメッセージとして所定のグループに対して送信される全てのデータセットには、個々のグループ加入者には依存せずに、中央で同一の伝送品質基準が割り当てられる。従って、マルチキャストサービスにおける伝送パラメータの決定のためのコストも著しく低減される。個々の加入者へのデータ転送の間に伝送パラメータの個別の交渉はもはや行われず、これらは管理ユニットによって予め設定される。この管理ユニットにこれらの伝送パラメータがグループ固有に格納されている。
【０００９】
とりわけ有利には管理ユニットはホームロケーションレジスタに割り当てられたデータバンクであり、この管理ユニットには各グループに対する品質基準が格納されている。この場合、いずれにせよアドレス管理のために存在するネットワークエレメントには本発明の付加的な機能が与えられる。
【００１０】
品質基準はそれぞれデータセットの提供者によってグループに対して設定され、データに応じて異なりうる。よって、瞬時のメッセージに対して、周期的に送信される比較的小さいアクチュアリティの情報とは異なる送信までの遅延時間が設けられることもありうる。
【００１１】
本発明の改良実施形態では、所定の最低基準を満たさないような加入者はマルチキャストグループに参加できない。これによって、技術的に最も劣悪な加入者が伝送品質を決定してしまい、これによってグループ全体の伝送品質があまりにも低下しすぎてしまうことが阻止される。
【００１２】
品質パラメータとして有利には完全ないわゆるクオリティ・オブ・サービス・プロフィールが格納されうる。これはプライオリティ及び/又は遅延、信頼性、最大及び/又は平均データレートの情報を含んでいる。
【００１３】
本発明の更なる利点及び特徴的構成は図面に図示され以下に記述された本発明の対象の実施例から明らかである。
【００１４】
図１はマルチキャストメッセージ伝達内部のデータ伝送に参加するコンポーネントの概略図を示し、
図２は従来技術によるメッセージ転送要求のために交換される全てのデータ送信を個々にリストアップした、メッセージ転送要求における個別ステップの概略的な線図を示し、
図３はマルチキャストメッセージの伝送のための本発明の実施例における図２に類似した線図を示す。
【００１５】
この実施例では移動無線ネットワークＮＴにおけるデータ伝送への本発明の適用が示されている。本発明の固定ネットワークへの適用も基本的に可能である。例えば伝送標準ＵＭＴＳ（Universal Mobile Telecommunication System）、ＧＳＭ（Global system for mobie communication）、ＧＰＲＳ（General packet radio service）又はＥＤＧＥ（Enhanced Data Rates for GSM environments）により作動するここに示された移動無線ネットワークＮＴではマルチキャストメッセージの伝送のここに図示された実現によって移動無線領域における新しいサービスのインプリメンテーションが可能となり、例えばニュースグループ、ビデオ会議、ビデオオンデマンド又は分散アプリケーションのインプリメンテーションが可能となる。オーディオ及びビデオメッセージの伝送が可能である。伝送されるデータタイプは任意である。
【００１６】
１つのシリアルメッセージを複数の加入者に伝送する際には、各加入者に伝送すべきメッセージのコピーを個別コネクションにおいて送信することが可能である。しかし、大きな加入者グループに対しては、この方法はあまりにコスト高である。なぜなら、同一メッセージがこの場合Ｎ個の個別コネクション（受信器個数＝Ｎを有するユニキャストコネクション）を介して伝送され、この場合何回も共通コネクションパスを介して送信されなければならないからである。これは非常に大きな帯域幅を必要とする。
【００１７】
これに対して、本発明ではマルチキャスト方法が適用される。この場合、同一のメッセージが伝送されるべき異なる加入移動遠隔通信機器（Ｔ１．．．ＴＮ）（例えば定期利用者）は共通のマルチキャストグループＸＹにまとめられる。このグループＸＹには全体として一つだけのアドレス、いわゆるマルチキャストアドレスが割り当てられる。その都度のデータ配信者はどの受信者が及びどれほど多くの受信者がこのグループアドレスの後ろに隠されているのかに関する情報を有する必要はない。配信者は通報すべきマルチキャストグループＸＹのアドレスを知っており、伝送すべきデータを唯一のデータ送信において一回このマルチキャストアドレスに配信しさえすればよい。
【００１８】
本発明の移動遠隔通信ネットワークＮＴは加入者として複数の移動遠隔通信機器Ｔ１，Ｔ２，．．．ＴＮを含む。
【００１９】
これらの移動遠隔通信機器からの、これらの移動遠隔通信機器への、及び、これらの移動遠隔通信機器の間のデータ伝送を組織化するためには、通信ネットワークＮＴに２つの異なるタイプのノード（ＧＰＲＳサポートノード：ＧＳＮ）がデータ転送のために割り当てられる：一方で複数の局所的なノードＳＧＳＮ（Serving GSN）が設けられ、これらの複数の局所的なノードＳＧＳＮはそれぞれ移動遠隔通信機器Ｔ１．．．ＴＮの所定の空間的な部分グループ、いわゆるＳＧＳＮエリアを組織化する。ＳＧＳＮは移動遠隔通信機器Ｔ１．．．ＴＮの所在地を追跡し、セキュリティ機能及びアクセスコントロールを実行し、他のノード、ＧＧＳＮ（Gateway GSN）へのインターフェースを形成する。これは、ルーティング情報、すなわち伝送パスの選択に関する情報及び到達可能な移動遠隔通信機器Ｔ１．．．ＴＮに関する情報によって、例えばＵＭＴＳ標準により作動する移動ネットワークＮＴと固定ワイヤードネットワークとして形成され遠隔通信ネットワークＮＴの外側にあるパケットデータネットワークとの間のコネクションを可能にする。例えば、図１に図示されているように、このためにインターネットが問題になる。このデータ伝送はＧｉで示されたインターフェースを介して行われ、このＧｉで示されたインターフェースは固定コネクションを表し、ゲートウェイＧＳＮを例えばインターネットのサーバと接続する。
【００２０】
２つのノードタイプ、すなわちＳＧＳＮ及びＧＧＳＮは、データバンク、いわゆるホームロケーションレジスタＨＬＲにそれぞれのデータ伝送区間（インターフェース）Ｇｃ及びＧｒを介して接続されている。これらのインターフェースも同様に固定ワイヤードコネクションであってよく、内部情報伝送だけに使用され、マルチキャストメッセージのデータのルーティングには使用されない。データバンクＨＬＲは、多数のデータバンクＨＬＲも実現されうるが、ネットワークのキャパシティ及びオーガニゼーションに依存して、全体として移動遠隔通信機器Ｔ１．．．ＴＮ、すなわち例えば加入している携帯電話、車両に固定設置された電話、ラップトップなどのマネージメントに責任を持つ。ＳＧＳＮは、例えばユーザの移動遠隔通信機器Ｔ４の認証のためにＨＬＲからユーザ固有の情報を照会して受け取ることができる。加入している遠隔通信機器Ｔ１．．．ＴＮのアドレスはここに格納されている。ＳＧＳＮは全体として移動遠隔通信機器Ｔ１．．．ＴＮとマルチキャストメッセージをデータパケットとして配信するデータネットワーク、例えばインターネットとの間のコネクション形成の責任を持つ。
【００２１】
ノードＳＧＳＮには無線ネットワークＮＴの複数のユニットが接続されうる。これらのユニットはラジオネットワークサブシステム（ＲＮＳ）と呼ばれ、それぞれ固定的な送信局、いわゆるノードＢを有し、これらのノードＢはアンテナ、送信マストなどとして公知のやり方で形成されている。
【００２２】
送信ユニットノードＢのコントロールのために、上記のユニットＲＮＳの各々にはコントロールユニットＲＮＣ（ラジオネットワークコントローラ）が割り当てられている。これはデータ伝送区間（インターフェース）Ｉｕを介してノードＳＧＳＮに接続されている。
【００２３】
他方で、ラジオネットワークコントローラは一連の固定コネクションＩｕｂを介してその領域の送信装置ノードＢに接続されており、エアーインターフェースＵｕのリソースを管理し、これらのエアーインターフェースＵｕのリソースはノードＢによって移動遠隔通信機器と接続されて利用される。
【００２４】
本発明によれば、さらに少なくとも１つの中央管理ユニットＶＥが設けられている。唯一の中央管理ユニットＶＥの代わりに複数の、分散管理ユニットへの分割も可能である。この実施例ではこの管理ユニットＶＥはＨＬＲ内のデータバンクである。このことは強制的なものではないが、既存のコネクション形成のためにいずれにせよ照会されるネットワークコンポーネントが利用可能であるという利点をもたらす。従って、このようなデータバンクＶＥを形成するためのハードウェア及びソフトウェア側のコストは比較的小さい。
【００２５】
管理ユニットＶＥの任務は、それぞれ加入している端末機器Ｔ１．．．ＴＮとの個別の交渉をせずにグループ内で統一的な伝送品質を維持するためのグループ固有の伝送データの集中的な格納である。この実施例では格納された品質パラメータがいわゆるクオリティ・オブ・サービス・プロフィールＱｏＳを形成し、このクオリティ・オブ・サービス・プロフィールＱｏＳはグループＸＹへのマルチキャストメッセージの伝送のための以下のようなパラメータを予め設定する：
伝送すべきデータセットＡのプライオリティ、これはすなわちデータセットの値が使用できるリソースのフル利用又は過負荷の場合に定められ、これに従って相応のデータセットが優先的に送信されるべきか又は他のデータセットの後に回されるべきかが決定可能であること；
伝送すべきデータセットＡの遅延、これはすなわちネットワークＮＴにおけるデータセットの滞在時間の最大持続時間が予め設定されうること；
伝送すべきデータセットＡの信頼性、これはすなわちデータ損失、シーケンス外のデータ供給、二重データ供給又はデータ偽造の確率に関するデータセットの品質基準が予め設定され、これらの品質基準はデータの正確な伝送の重要性に応じて決定されうること；
データセットＡの伝送のための最大データレート、これはすなわちバイト/ｓ単位で予期されるデータレートの上限に対するプリセットが与えられること；
伝送すべきデータセットＡの平均データレート、これはすなわち平均伝送速度の期待値が予め設定されること。
【００２６】
全てこれらのパラメータはデフォルト値として格納され、グループ固有に予め調整される。例えばメモリを多く使う画像データ伝送に対しては、例えばスポーツ結果の伝送サービスの定期利用者に対するよりも高い平均及び最大データ伝送レートが予め設定される。瞬時の情報、例えばリアルタイム為替取引相場は、例えば論評及びバックグラウンドリポートよりも高いプライオリティ及び小さい遅延を得る。
【００２７】
ここで説明されたコンポーネントの機能においては、例えばインターネットからのデータパケットの配信の際にこのデータパケットはまず最初にＧＧＳＮに送信され、このＧＧＳＮはＨＬＲにおいて所轄のＳＧＳＮを照会する。ＧＧＳＮは次いでこのＳＧＳＮに、相応の移動遠隔通信機器Ｔ１、Ｔ２又は任意の他の機器に対するデータがあることを知らせる。ノードＳＧＳＮはこれに基づいて問い合わせられた加入者Ｔ１，Ｔ２．．．と外部ネットワークとの間のコネクション形成を指示する。
【００２８】
インターネットから移動無線ネットワークＮＴへの例えば所定のサービスの顧客へのデータパケット伝送を可能にするコネクションを形成するために、従来はまず最初にその都度受信する加入者、例えばＴ４のログインが実施される。この場合、パケットデータプロトコル（ＰＤＰ）が後続の伝送のために活性化されなければならない。これはＰＤＰコンテキスト活性化プロシージャにおいて行われる。これによっていわゆるコンテキストが活性化され、すなわち遠隔通信ネットワークＮＴ、すなわち例えばＵＭＴＳネットワークを通過するパスが活性化される。このパスは遠隔通信機器Ｔ４、ＳＧＳＮ及びＧＧＳＮに通知される。これはデータ伝送の前提条件である。ＰＤＰコンテキストの活性化は加入者Ｔ１．．．ＴＮのうちの１つによって開始されるか又はネットワークＮＴが加入者機器Ｔ１．．．ＴＮのうちの１つにそれぞれＰＤＰコンテキストを問い合わせさせるかのいずれかである。ＰＤＰコンテキストの伝達は従来技術ではマルチキャストグループＸＹの移動遠隔通信機器Ｔ１．．．ＴＮとＳＧＳＮとの間の各個別コネクションにおいて必要である。
【００２９】
ＰＤＰコンテキストのこの活性化の間に、いわゆる伝送品質の交渉も上記のＱｏＳに格納されたパラメータによって行われる。ＱｏＳのこのような交渉は図２に図示されている。
【００３０】
その都度のネットワーク加入者、ここではＴ４は、まず最初にメッセージＮ１「ＰＤＰコンテキスト活性化リクエスト」をＳＧＳＮに送信する。このメッセージＮ１はとりわけ情報エレメント「ＱｏＳリクエステッド（QoS requested）」を含み、この情報エレメント「ＱｏＳリクエステッド」によってその都度の加入者（ここではＴ４）にとって所望される品質パラメータが記述される。ＳＧＳＮはこれによってこれらのパラメータを次のデータ伝送のために設けて調整することを求められる。例えば問い合わせている遠隔通信機器Ｔ２が必要な権限を持たない場合には、ＳＧＳＮはこの求めに応じるか又は品質的により低いＱｏＳを供給することができる。この権限はセキュリティ機能の予め実施される問い合わせにおいて明らかにされうる。
【００３１】
ＳＧＳＮは次いでそれぞれ所轄のラジオネットワークコントローラＲＮＣにメッセージＮ２「ＲＡＢ割り当てリクエスト」を送信し、このメッセージＮ２「ＲＡＢ割り当てリクエスト」によってＲＮＣは自らと問い合わせている加入者Ｔ４との間のコネクションを形成することを要請される。
【００３２】
これは次いで加入者Ｔ４にメッセージＮ３「ＲＢセットアップ」を送信する。
【００３３】
加入者Ｔ４はこのメッセージＮ３に応答Ｎ４「ＲＢセットアップ完了」で応える。
【００３４】
これによって、ＲＮＣがＳＧＳＮからこのＲＮＣに伝送されたＱｏＳデータに同意する場合には、次に、このラジオネットワークコントローラは実行メッセージＮ５「ＲＡＢ割り当てレスポンス」をＳＧＳＮに返信し、これによって加入者Ｔ４へのコネクションが形成される。これが可能ではないならば、ＳＧＳＮは問い合わされたＱｏＳを後で実際に供給される技術的能力に適合させることもできる。
【００３５】
ＳＧＳＮと加入者Ｔ４との間のコネクション形成の後で、ＧＧＳＮへのコネクションが形成され、このＧＧＳＮへのコネクションが上記のように外部ネットワーク、例えばインターネットへのインターフェースとして使用される。このためにノードＳＧＳＮはノードＧＧＳＮにメッセージＮ６「クリエイトＰＤＰコンテキストリクエスト」を送信する。このメッセージＮ６には実際に確認されたＱｏＳ（ＱｏＳネゴシエイテッド（QoS Negotiated））が含まれる。このＱｏＳ（ＱｏＳネゴシエイテッド）は上記のように加入者Ｔ４によって問い合わされた「ＱｏＳリクエステッド」に相応するか又ははこれとは異なる。
【００３６】
同意の場合には、ノードＧＧＳＮは確認メッセージＮ７「クリエイトＰＤＰコンテキストレスポンス」をノードＳＧＳＮに返送する。
【００３７】
この確認によって、今や、外部ネットワークと問い合わせている遠隔通信機器Ｔ４との間の完全なコネクションをこの遠隔通信機器Ｔ４へのメッセージＮ８「活性化ＰＤＰコンテキスト肯定応答」によってつくることがＳＧＳＮには可能である。このメッセージにおいてもデータ伝送のための最終的に交渉されたパラメータのセット（ＱｏＳネゴシエイテッド）が含まれている。遠隔通信機器Ｔ４がこれらの交渉された品質パラメータのセットを支持する場合には、データ伝送が開始される。さもなければ、中断メッセージが送信される。
【００３８】
ＱｏＳプロフィールに格納された伝送パラメータの上記の交渉では、これらのパラメータが完全に遠隔通信機器Ｔ４によって予め設定されなければならないのではなく、これらのパラメータは全部又は部分的にネットワークＮＴによってまず最初に予め設定され、加入者Ｔ４の技術的能力に適合されうる。
【００３９】
グループメッセージ（マルチキャストメッセージ）のためのマルチキャストコンテキスト（ＭＣコンテキスト）の交渉は、原理的にはパケットデータプロトコルコンテキスト（ＰＤＰコンテキスト）の上記の交渉とまったく同じく経過するはずである。相違することは、このために、いわゆるマルチキャストセンタ（ＭＣＣ）が設けられることであり、このマルチキャストセンタと各加入者Ｔ１．．．ＴＮとの間でコネクションが形成される。ここでも従来技術の伝送によってＱｏＳの交渉が個別にＭＣＣと各加入者Ｔ１．．．ＴＮとの間で行われなければならないだろう。
【００４０】
図３にはＭＣコンテキストの成立の本発明の実施形態が図示されている。伝送のためにログインしたグループＸＹのメンバーＴ１．．．ＴＮは、例えば定期利用者か又は所定の伝送だけに対する個別ログインであり、ノードＳＧＳＮにおいてこのグループＸＹのメンバーとして登録されており、ここではすなわち例としてとりわけ移動遠隔通信機器Ｔ４である。これらの移動遠隔通信機器Ｔ１．．．ＴＮはマルチキャストメッセージの存在を図示されたシーケンスの開始時に知らされ、次いで自らそれぞれのＭＣコンテキスト活性化プロシージャを開始する。これらのうちでここでは例としてグループＸＹに含まれる同じ移動遠隔通信機器Ｔ４の場合だけを図示する。
【００４１】
この遠隔通信機器Ｔ４はこの場合自ら問い合わせＥ１「活性化ＭＣコンテキストリクエスト」をＳＧＳＮに送信する。このメッセージＥ１にはグループＸＹのマルチキャストアドレスに関する情報及びＱｏＳリクエストが含まれており、このＱｏＳリクエストによってＱｏＳデータセットに含まれるコネクションパラメータの割り当てに関して問い合わせが行われる。
【００４２】
ノードＳＧＳＮは次いでここではホームロケーションレジスタＨＬＲに含まれている管理ユニットＶＥにメッセージＥ２「ＱｏＳプロフィールリクエステッド」を送信する。このメッセージＥ２によってＳＧＳＮはＨＬＲにこの管理ユニットＶＥに格納されたＱｏＳプロフィールを伝送するように要請する。メッセージＥ２にはマルチキャストグループＸＹのグループアドレスが含まれており、このグループアドレスによって管理ユニットＶＥはそのデータバンクにおいてそこに格納されたＱｏＳプロフィールへの割り当てを行うことができる。
【００４３】
ＳＧＳＮによって要請されたこのＱｏＳプロフィールは次いでメッセージＥ３「ＱｏＳプロフィールレスポンス」によってＳＧＳＮに送信される。このＱｏＳプロフィールはグループＸＹのメンバーＴ１．．．ＴＮへの全コネクションに有効であり、すなわちこれらの遠隔通信機器Ｔ１．．．ＴＮのうちの１つによって開始される各ＭＣコンテキストにおいて伝送される。
【００４４】
本発明のシーケンスでも次にＳＧＳＮはメッセージＥ４「ＲＡＢ割り当てリクエスト」をラジオネットワークコントローラ（ＲＮＣ）に送信し、このメッセージＥ４はＱｏＳを含み、このＱｏＳはこの場合もちろん個別に調整されるのではなく、全てのグループメンバーに対するプリセットとしてＨＬＲによって通知されたものである。
【００４５】
ＲＮＣはメッセージＥ５「ＲＢセットアップ」によって遠隔通信機器Ｔ４へのコネクションを形成する。これはメッセージＥ６「ＲＢセットアップ完了」で応える。
【００４６】
遠隔通信機器Ｔ４が通知されたＱｏＳに技術的に対応でき、ＲＮＣもこのＱｏＳに同意しており（セキュリティ機能）、ＲＮＣとＴ４との間のコネクションが成立する場合には、ＲＮＣはコネクション形成を確認するためにＳＧＳＮにメッセージＥ７「ＲＡＢ割り当てレスポンス」を送信する。
【００４７】
ＱｏＳが技術的に又は権限によればあまりにも高いために、遠隔通信機器Ｔ４へのコネクションが実現できなかった場合には、ＳＧＳＮは後でＱｏＳを制限し、使用できるリソースに適合させることができる。これはもちろんこうして制限されたＱｏＳが今やグループＸＹの他の全ての加入者Ｔ１．．．ＴＮに対しても同様に制限されるという結果をもたらす。従って、ＱｏＳの制限は最低基準より下では行われない。グループＸＹにこの最低基準を満たさない加入者が含まれているならば、この加入者は伝送に参加できない。
【００４８】
次のステップでは、ＳＧＳＮからノードＧＧＳＮへのコネクションが形成される。このノードＧＧＳＮは外部ネットワーク、例えばインターネットへのアスセスを許可する。このためにＳＧＳＮはＧＧＳＮにメッセージＥ８「クリエイトＭＣコンテキストリクエスト」を送信する。このメッセージＥ８にはＱｏＳネゴシエイテッドが、すなわちもともとＨＬＲの管理ユニットＶＥに格納されたものとは異なりうる最終的なＱｏＳが含まれる。
【００４９】
同意の場合、ＧＧＳＮはメッセージＥ９「クリエイトＭＣコンテキストレスポンス」をＳＧＳＮに返信する。ＧＧＳＮがＱｏＳにおいて要求されたパラメータを供給できない場合には、このＧＧＳＮはＱｏＳを同様に制限することができる。この制限もグループＸＹ全体への伝送に影響を有する。
【００５０】
メッセージＥ９を受け取った後で、ＳＧＳＮは遠隔通信機器Ｔ４にメッセージＥ１０「活性化ＭＣコンテキスト肯定応答」を送信し、これによってＭＣコンテキストが活性化される。メッセージＥ１０にはＱｏＳの最終的なパラメータセットが含まれている。
【００５１】
遠隔通信機器Ｔ４が最終的なＱｏＳネゴシエイテッドを支持できない場合には、ここでもまた中断メッセージが可能である。
【００５２】
ＱｏＳは最低のプライオリティ、最長の遅延、信頼性及び最低の平均及び最大伝送レートによって決定される。他のパラメータの決定も上記のやり方で可能であろう。ＱｏＳは、上述のように、管理ユニットＶＥを含むＨＬＲ又は他のネットワークコンポーネントによって集中的に予め設定され、個別には交渉されない。ＧＧＳＮ又は加入している遠隔通信機器がこの要求された基準に対応できない場合にのみ、グループ全体に対してＱｏＳの変更が、もちろんその都度のグループＸＹ全体にとって受け入れられると思われるような制限においてのみ、行われる。ＨＬＲにおけるＱｏＳの事前の決定は例えば要求されるサービスのコストに依存しうる。これが高ければ高いほど、例えばこうして伝送されるデータセットＡの伝送レート、信頼性及びプライオリティはますます高くなりうる。
【００５３】
本発明によって、全体として初めて、マルチキャストサービス内でマルチキャストメッセージを受信でき、これらのマルチキャストメッセージが統一的な基準によって送信され、しかも個別の交渉が必要とされないという可能性が与えられている移動無線ネットワークＮＴが形成される。技術的に最も弱い機器が伝送をひどく危険にさらすことはない。なぜなら、技術的な要求の最低限度より下のこのような技術的に最も弱い機器は排除されるからである。
【図面の簡単な説明】
【００５４】
【図１】マルチキャストメッセージ伝達内部のデータ伝送に参加するコンポーネントの概略図を示す。
【００５５】
【図２】従来技術によるメッセージ転送要求のために交換される全てのデータ送信を個々にリストアップした、メッセージ転送要求における個別ステップの概略的な線図を示す。
【００５６】
【図３】マルチキャストメッセージの伝送のための本発明の実施例における図２に類似した線図を示す。
【符号の説明】
【００５７】
ＮＴ  移動無線ネットワーク
Ｔ１．．．ＴＮ  加入者移動遠隔通信機器
ＸＹ  マルチキャストグループ
ＧＳＮ  ＧＰＲＳサポートノード
ＳＧＳＮ  サービングＧＳＮ
ＧＧＳＮ  ゲートウェイＧＳＮ
Ｇｉ  インターフェース
ＨＬＲ  ホームロケーションレジスタ
Ｇｃ、Ｇｒ  データ伝送区間（インターフェース）
ＲＮＳ  ラジオネットワークサブシステム
ＲＮＣ  コントロールユニット（ラジオネットワークコントローラ）
Ｉｕ  データ伝送区間（インターフェース）
ＭＣＣ  マルチキャストセンタ
Ｉｕｂ  固定コネクション
ノードＢ  送信装置
ＶＥ  中央管理ユニット
Ｕｕ  エアインターフェース
【図１】
2005505958.tif 000003
【図２】
2005505958.tif 000004
【図３】
2005505958.tif 000005
【国際公開パンフレット】
2005505958.tif 000006
2005505958.tif 000007
2005505958.tif 000008
2005505958.tif 000009
2005505958.tif 000010
2005505958.tif 000011
2005505958.tif 000012
2005505958.tif 000013
2005505958.tif 000014
2005505958.tif 000015
2005505958.tif 000016
2005505958.tif 000017
2005505958.tif 000018
2005505958.tif 000019
2005505958.tif 000020
2005505958.tif 000021
2005505958.tif 000022
2005505958.tif 000023
2005505958.tif 000024
2005505958.tif 000025
2005505958.tif 000026
2005505958.tif 000027
2005505958.tif 000028
2005505958.tif 000029
2005505958.tif 000030
2005505958.tif 000031
【国際公開パンフレット（コレクトバージョン）】
2005505958.tif 000032
2005505958.tif 000033
【国際調査報告】
2005505958.tif 000034
2005505958.tif 000035
2005505958.tif 000036
2005505958.tif 000037
2005505958.tif 000038
2005505958.tif 000039